【事件の表示】
　平成　８年特許願第　　１７６６号「低電力発振器」拒絶査定不服審判事件〔平成　８年１１月　１日出願公開、特開平　８−２８８８００〕について、次のとおり審決する。
【結　論】
　本件審判の請求は、成り立たない。
【理　由】
１．手続の経緯・本願発明
　本願は、平成８年１月９日（パリ条約による優先権主張１９９５年１月９日、米国）の出願であって、平成１８年３月１５日付けで拒絶査定がなされ、これに対し、平成１８年６月１５日に拒絶査定に対する審判請求がなされたものである。
　本願の請求項１に係る発明（以下、「本願発明」という。）は、平成１８年２月２１日付けの手続補正により補正された請求項１に記載された以下のとおりのものである。
　「第１電圧に応答して，第２電圧を発生する基準回路と；
　この第２電圧に応答して，前記第１電圧の大きさより小さな大きさを有する第１出力信号を発生する発振器と；
　この第１出力信号に応答して，前記第１出力信号の大きさより大きな大きさを有する第２出力信号を発生するレベル変換器と；
　前記第２出力信号に応答して，電源供給電圧を生成するポンプ回路
とを含むことを特徴とした発振器回路。」
　
２．引用例
　原査定の拒絶の理由に引用された特開平５−３０３６５６号公報（以下、「引用例」という。）には、図面とともに以下の記載がある。
　
「【特許請求の範囲】
【請求項１】  供給される内部電源電圧により発振するリング発振器と、外部から供給される電源電圧より低い一定レベルの前記内部電源電圧を発生し前記リング発振器に供給する定電圧供給手段と、前記リング発振器の出力信号の振幅を前記外部から供給される電源電圧と対応するレベルに変換するレベルシフト回路とを有することを特徴とする発振回路。
【請求項２】  定電圧供給手段が、外部からの電源電圧から所定のレベルの内部電源電圧を発生する回路である請求項１記載の発振回路。
【請求項３】  定電圧供給手段が、リング発振器の内部電源電圧供給端と接続する端子を設け、この端子に内部電源電圧と同等レベルの電圧を供給する回路とした請求項１記載の発振回路。
【発明の詳細な説明】
【０００１】
【産業上の利用分野】本発明は発振回路に関し、特に記憶回路を含むマイクロコンピュータに内蔵される発振回路に関する。
【０００２】
【従来の技術】従来、紫外線消去型ＰＲＯＭ等の記憶回路を内蔵したマイクロコンピュータにおいては、プログラム待機中、消費電流を低減するため、記憶回路等に高電圧を供給する昇圧回路の動作を停止させていた。そこでこの動作を再開した時に昇圧回路の出力がすぐに使えるようにするため、発振回路を内蔵していた。」
「【００１０】
【実施例】次に本発明の実施例について図面を参照して説明する。
【００１１】図１は本発明の第１の実施例を示す回路図である。
【００１２】この実施例は、供給される内部電源電圧Ｖｉｐにより動作し制御信号ＣＮＴが高レベルのとき発振する従来例と同一構成のリング発振器１と、トランジスタＱ１〜Ｑ７及びインバータＩＶ６を備え制御信号ＣＮＴが高レベルのとき外部から供給される電源電圧Ｖｃｃ（例えば５．０Ｖ）より低い一定レベル（例えば２．７Ｖ）の内部電源電圧Ｖｉｐを発生してリング発振器１に供給する定電圧発生回路２と、内部電源電圧Ｖｉｐで動作しリング発振器１の出力信号を反転増幅するインバータＩＶ７、このインバータＩＶ７の出力を反転増幅するインバータＩＶ８、外部からの電源電圧Ｖｃｃで動作しインバータＩＶ７，ＩＶ８の出力を差動増幅する差動増幅器３１及びこの差動増幅器３１の出力を反転増幅するインバータＩＶ９を備えリング発振器１の出力信号の振幅を外部から供給される電源電圧Ｖｃｃと対応するレベルに変換するレベルシフト回路３とを有する構成となっている。」
　
　引用例の【００１２】段落及び図１の記載からすると、定電圧発生回路は、外部から供給される電源電圧から内部電源電圧を発生するものであるから、外部から供給される電源電圧に応答して内部電源電圧を発生する定電圧発生回路であるといえる。
　また、リング発振器は、内部電源電圧により動作し、発振して出力信号を発生するものであり、内部電源電圧は外部から供給される電源電圧よりも低いレベルであるから、その出力信号は外部から供給される電源電圧の大きさより小さな大きさであることは自明のことである。その出力信号を「発振出力信号」と呼ぶことにすると、内部電源電圧に応答して、外部から供給される電源電圧の大きさより小さな大きさを有する発振出力信号を発生するリング発振器であるといえる。
　また、レベルシフト回路は、発振出力信号が入力されると、外部から供給される電源電圧のレベルに変換して出力するものであるから、その出力信号を「レベルシフト出力信号」と呼ぶことにすると、発振出力信号に応答して、発振出力信号の大きさより大きな大きさを有するレベルシフト出力信号を発生するレベルシフト回路であるといえる。
　 　　　　
　したがって、引用例には、技術常識を考慮すると、
「外部から供給される電源電圧に応答して、内部電源電圧を発生する定電圧発生回路と、
　内部電源電圧に応答して、外部から供給される電源電圧の大きさより小さな大きさを有する発振出力信号を発生するリング発振器と、
　発振出力信号に応答して、前記発振出力信号の大きさより大きな大きさを有するレベルシフト出力信号を発生するレベルシフト回路とを含む発振回路。」
の発明（以下、「引用例発明」という。）が開示されていると認めることができる。
　　
３．対比
　本願発明と引用例発明とを対比すると次のことが認められる。
　引用例発明の「外部から供給される電源電圧」「内部電源電圧」「定電圧発生回路」「発振出力信号」「リング発振器」「レベルシフト出力信号」「レベルシフト回路」「発振回路」は、本願発明の「第１電圧」「第２電圧」「基準回路」「第１出力信号」「発振器」「第２出力信号」「レベル変換器」「発振器回路」にそれぞれ相当する。
　
　したがって、本願発明と引用例発明とは、
「第１電圧に応答して，第２電圧を発生する基準回路と；
　この第２電圧に応答して，前記第１電圧の大きさより小さな大きさを有する第１出力信号を発生する発振器と；
　この第１出力信号に応答して，前記第１出力信号の大きさより大きな大きさを有する第２出力信号を発生するレベル変換器
　とを含む発振器回路。」
の点で一致し、以下の点で相違している。
　　
［相違点］
　本願発明の発振器回路は、「第２出力信号に応答して，電源供給電圧を生成するポンプ回路」を含んでいるが、引用例発明はポンプ回路についての言及がない点。
　
４．当審の判断
　上記相違点について検討する。
　本願発明の発振器回路は、本願明細書の【０００２】〜【０００４】段落及び【０００７】段落を参照すれば、メモリ回路の電源供給に利用されるものと理解されるが、メモリ回路の技術分野において、発振器の出力を電源供給電圧を生成するポンプ回路（昇圧回路）に入力して電源供給を行うことは、拒絶査定に引用された特開平６−９６５９３号公報、特開平５−２９２７３４号公報、特開平３−７３５６５号公報等に示されるように周知の事項である。
　そして、引用例の【０００１】段落の「本発明は発振回路に関し、特に記憶回路を含むマイクロコンピュータに内蔵される発振回路に関する。」及び【０００２】段落の「記憶回路等に高電圧を供給する昇圧回路」との記載からすれば、引用例の発振回路はメモリ回路（記憶回路）の電源供給に利用されるものであることは当業者に自明の事項であるので、上記の周知事項を考慮すれば、発振器回路に「第２出力信号に応答して，電源供給電圧を生成するポンプ回路」を含ませるようにすることに困難性は認められない。
　
　そして、本願発明の作用効果も、引用例発明及び周知事項から当業者が予測できる範囲のものである。
　　　
５．むすび
　以上のとおり、本願発明は、引用例発明及び周知事項に基づいて、当業者が容易に発明をすることができたものであるから、特許法第２９条第２項の規定により特許を受けることができない。
　よって、結論のとおり審決する。